(57)【特許請求の範囲】
【請求項１】
搬送波が同一の周波数帯であり、偏光状態が相互に直交する２つの単一偏波光信号を多重することにより生成した偏光多重光信号を受信する偏光ダイバーシティ部と、偏光ダイバーシティ部が出力する互いに直交する偏光軸に並行な信号成分を入力する周波数領域等化部を有し、
周波数領域等化部は、前記偏光多重光信号の伝送特性の劣化を補償するために前記２つの単一偏波光信号のそれぞれに対して設けられた複数のフィルタを備え、
前記複数のフィルタの一方のフィルタ係数は、前記単一偏波光信号の一方のみが送信される第１ステップで、前記偏光多重光信号に含まれる２つの単一偏波光信号の一方の伝送特性の劣化を、周波数領域等化によって補償するように決定され、
前記複数のフィルタの他方のフィルタ係数は、前記単一偏波光信号の他方のみが送信される第２ステップで、前記偏光多重光信号に含まれる２つの単一偏波光信号の他方の伝送特性の劣化を、周波数領域等化によって補償するように決定され、
前記第１ステップおよび第２ステップで決定された前記フィルタ係数が前記複数のフィルタのフィルタ係数に設定された第３ステップで、前記偏波多重光信号を補償する光受信機。
【請求項２】
搬送波が同一の周波数帯であり、偏光状態が相互に直交する２つの単一偏波光信号を多重することにより生成した偏光多重光信号を送信する光送信機と、前記光送信機から送信された前記２つの単一偏波光信号および偏光多重光信号を所定の伝送路を介して受信し、前記受信した偏光多重光信号または単一偏波光信号の伝送特性の劣化を補償する光受信機とを有し、
前記光受信機は、前記偏光多重信号または単一偏波光信号を受信する偏光ダイバーシティ部と、偏光ダイバーシティ部が出力する互いに直交する偏光軸に並行な信号成分を入力する周波数領域等化部とを有し、
周波数領域等化部は、前記偏光多重光信号または単一偏波光信号の伝送特性の劣化を補償するために前記２つの単一偏波光信号のそれぞれに対して設けられた複数のフィルタを備え、
前記複数のフィルタの一方のフィルタ係数は、前記単一偏波光信号が送信される第１ステップで、前記偏光多重光信号に含まれる２つの単一偏波光信号の一方のみの伝送特性の劣化を、周波数領域等化によって補償するように決定され、
前記複数のフィルタの他方のフィルタ係数は、前記単一偏波光信号が送信される第２ステップで、前記偏光多重光信号に含まれる２つの単一偏波光信号の他方のみの伝送特性の劣化を、周波数領域等化によって補償するように決定され、
前記第１ステップおよび第２ステップで決定された前記フィルタ係数が前記複数のフィルタのフィルタ係数に設定された第３ステップで、前記偏波多重光信号を補償する光通信システム。
【請求項３】
請求項２に記載の光通信システムにおいて、
前記光送信機は、前記偏光多重光信号の送信を開始する前に、前記２つの単一偏波光信号のそれぞれを送信し、
前記光送信機が前記２つの単一偏波光信号の一方のみを送信する前記第１ステップで、
前記光受信機は、一方の前記単一偏波光信号を前記伝送路を介して受信し、
前記単一偏波光信号の伝送特性の劣化を、周波数領域等化によって補償するための一方のフィルタの最適フィルタ係数を算出し、
前記光送信機が前記２つの単一偏波光信号の他方のみを送信する前記第２ステップで、
前記光受信機は、他方の前記単一偏波光信号を前記伝送路を介して受信し、
前記単一偏波光信号の伝送特性の劣化を、周波数領域等化によって補償するための他方のフィルタの最適フィルタ係数を算出し、
該算出された最適フィルタ係数を前記フィルタに設定し、
前記光送信機が前記偏波多重光信号送信すると、前記偏波多重光信号を前記伝送路を介して受信する第３ステップで、
前記フィルタを用い、受信した偏波多重光信号を前記２つの単一偏波光信号のそれぞれに対応する２つの光信号に分離しながら、該分離された光信号の伝送特性の劣化を周波数領域等化によって補償する光通信システム。
【請求項４】
請求項３に記載の光通信システムにおいて、
前記光送信機は、前記偏光多重光信号の送信を開始した後、前記２つの単一偏波光信号のそれぞれを所定の時間間隔で個別に送信し、
前記光受信機は、前記光送信機が２つの単一偏波光信号の一方のみを送信する度に、前記単一偏波光信号を受信し、前記フィルタの一方の最適フィルタ係数を算出し直し、
前記光受信機は、前記光送信機が２つの単一偏波光信号の他方のみを送信する度に、前記単一偏波光信号を受信し、前記フィルタの他方の最適フィルタ係数を算出し直す光通信システム。
【請求項５】
請求項２乃至４のいずれか１項に記載の光通信システムにおいて、
前記周波数領域等化は、前記光送信機と前記光受信機との間の通信方式として、ＳＣ−ＣＰを適用した場合の周波数領域等化である光通信システム。
【請求項６】
請求項２乃至４のいずれか１項に記載の光通信システムにおいて、
前記周波数領域等化は、前記光送信機と前記光受信機との間の通信方式として、ＯＦＤＭを適用した場合の周波数領域等化である光通信システム。
【請求項７】
請求項２乃至４のいずれか１項に記載の光通信システムにおいて、
前記周波数領域等化は、前記光送信機と前記光受信機との間の通信方式として、オーバラップＦＤＥを適用した場合の周波数領域等化である光通信システム。
【請求項８】
搬送波が同一の周波数帯であり、偏光状態が相互に直交する２つの単一偏波光信号を多重することにより生成した偏光多重光信号を送信する光送信機と、前記光送信機から送信された前記２つの単一偏波光信号および偏光多重光信号を所定の伝送路を介して受信する光受信機とを有する光通信システムの等化方法であって、
搬送波が同一の周波数帯であり、偏光状態が相互に直交する２つの単一偏波光信号が多重した偏光多重光信号を送信する処理と、
前記偏光多重光信号を所定の伝送路を介して受信する処理と、
前記偏光多重光信号の伝送特性の劣化を補償する処理と、を有し、
前記受信する処理は、受信した前記偏光多重光信号を互いに直交する偏光軸に平行な信号成分に分離する処理を、
前記補償する処理は、前記２つの単一偏波光信号のそれぞれに対して設けられた複数のフィルタを用い前記信号成分をフィルタリング処理を、さらに有し、
前記複数のフィルタの一部のフィルタ係数は、前記単一偏波光信号の一方のみが送信される第１ステップで、前記偏光多重光信号に含まれる２つの単一偏波光信号の一方のみの伝送特性の劣化を、周波数領域等化によって補償するように決定され、
前記複数のフィルタの残りのフィルタ係数は、前記単一偏波光信号の他方のみが送信される第２ステップで、前記偏光多重光信号に含まれる２つの単一偏波光信号の他方のみの伝送特性の劣化を、周波数領域等化によって補償するように決定される光通信システムの等化方法。
【請求項９】
請求項８に記載の光通信システムの等化方法において、
前記送信する処理は、前記偏光多重光信号の送信を開始する前に、前記２つの単一偏光光信号のそれぞれを個別に送信する処理をさらに有し、
前記補償する処理は、
前記光送信機が前記２つの単一偏波光信号の一方のみを送信する第１ステップで、前記一方の単一偏波光信号の伝送特性の劣化を、周波数領域等化によって補償するための一方のフィルタの最適フィルタ係数を算出する処理と、
前記光送信機が前記２つの単一偏波光信号の他方のみを送信する第２ステップで、前記他方の単一偏波光信号の伝送特性の劣化を、周波数領域等化によって補償するための他方のフィルタの最適フィルタ係数を算出する処理と、
前記光送信機が前記偏光多重光信号を送信する第３ステップで、計算された最適フィルタ係数を用いて前記信号成分を補償する処理を有する光通信システムの等化方法。
【請求項１０】
請求項８に記載の光通信システムの等化方法において、
前記送信する処理は、前記偏光多重光信号の送信を開始した後、前記２つの単一偏光光信号のそれぞれを所定の時間間隔で個別に送信する処理をさらに有し、
前記補償する処理は、
前記光送信機が前記２つの単一偏波光信号の一方のみを送信する場合、前記単一偏波光信号の伝送特性の劣化を、周波数領域等化によって補償するための一方のフィルタの最適フィルタ係数を算出する処理と、
前記光送信機が前記２つの単一偏波光信号の他方のみを送信する場合、前記単一偏波光信号の伝送特性の劣化を、周波数領域等化によって補償するための他方のフィルタの最適フィルタ係数を算出する処理を有する光通信システムの等価方法。
【発明の詳細な説明】
【技術分野】
【０００１】
本発明は、偏光状態が相互に直交する２つの光信号を多重した偏光多重光信号を受信する光受信機、光通信システム及び等化方法に関する。
【背景技術】
【０００２】
近年、インターネットの普及により、基幹系通信システムのトラフィック量が急激に増大していることから、４０Ｇｂｐｓを越える超高速の光通信システムの早期実用化が待望されている。
【０００３】
このような超高速の光通信システムを実現する技術として、偏光多重分離技術が注目されている。偏光多重分離技術では、光送信機は、搬送波が同一の周波数帯であり、偏光状態が相互に直交する２つの光信号を多重する。以降、搬送波が同一の周波数帯であり、偏光状態が相互に直交する２つの光信号を多重した光信号のことを偏光多重光信号という。そして、光受信機は、光送信機から送信された偏光多重光信号を受信し、受信した偏光多重光信号を２つの光信号に分離する。これにより、２倍の伝送速度が実現される。
【０００４】
一方で、超高速の光通信システムにおいては、光ファイバの偏光モード分散によって伝送特性が劣化するという問題点がある。これは、光ファイバの伝搬定数が、光ファイバの偏光軸に応じ、微小ながら異なるために、偏光の異なる光に伝搬遅延が生じることが原因である。
【０００５】
偏光多重光信号の送受信を行う偏光多重分離光通信システムの光受信機は、偏光多重光信号を２つの光信号に分離しながら、上述した偏光モード分散による受信光信号の波形歪を補償する必要がある。また、偏光多重分離光通信システムの光受信機は、一般的な光通信システムの光受信機と同様に光雑音の影響も最小化する必要がある。
【０００６】
これを実現する方法としてＣＭＡ（Ｃｏｎｓｔａｎｔ  Ｍｏｄｕｌｕｓ  Ａｌｇｏｒｉｔｈｍ）が広く知られている。ＣＭＡは、デジタルフィルタからの出力信号の包絡線が一定値になるように、デジタルフィルタのフィルタ係数を更新するように動作するアルゴリズムである。
【０００７】
デジタルフィルタとしては一般的に、ＦＩＲ（Ｆｉｎｉｔｅ  Ｉｍｐｕｌｓｅ  Ｒｅｓｐｏｎｓｅ）フィルタが用いられる。ＦＩＲフィルタでは、時間領域上のデータが処理されるため、ＣＭＡは、時間領域等化（ＴＤＥ：Ｔｉｍｅ  Ｄｏｍａｉｎ  Ｅｑｕａｌｉｚａｔｉｏｎ）とも呼ばれる。
【０００８】
図９は、ＣＭＡによる等化を行う偏光多重分離光通信システムの構成の一例を示すブロック図である。
【０００９】
光送信機１００は、２つの送信データを、搬送波が同一の周波数帯であり、偏光状態が相互に直交する２つの光信号に変調する。そして、光送信機１００は、その２つの光信号を多重した偏光多重光信号を光伝送路２００を介して光受信機３００へ送信する。
【００１０】
光受信機３００の偏光ダイバーシティ部３１は、光送信機１００から送信された偏光多重光信号を偏光ダイバーシティ受信によって受信する。この偏光ダイバーシティ受信によって２つの光信号が得られる。
【００１１】
ＣＭＡ部３１０は、偏光ダイバーシティ受信によって得られた２つの光信号の入力を受け付ける。そして、受け付けられた２つの光信号に対し、フィルタ３１１−１〜３１１−４による等化が行われる。
【００１２】
そして、フィルタ３１１−１から出力された光信号とフィルタ３１１−３から出力された光信号とが加算された信号が、出力信号となり、復調部３７−１へ出力される。また、フィルタ３１１−２から出力された信号とフィルタ３１１−４から出力された信号とが加算された信号が、出力信号となり、復調部３７−２へ出力される。
【００１３】
誤差算出部３０９は、出力信号から、期待する特性（出力信号の包絡線が一定値であること）に対する誤差を算出し、算出された誤差を示す誤差信号をフィルタ係数算出部３０８へ出力する。
【００１４】
フィルタ係数算出部３０８は、誤差算出部３０９から出力された誤差信号に基づき、フィルタ３１１−１〜３１１−４のフィルタ係数を更新する。
【００１５】
上述した動作を繰り返すことにより、フィルタ３１１−１〜３１１−４のフィルタ係数は伝送特性の劣化を補償するように最適化され、元の送信データを正しく復調することが可能となる。
【００１６】
このように、ＣＭＡによる等化手法を用いることにより、偏光多重光信号を２つの光信号に分離しながら、偏光モード分散による受信光信号の波形歪みを補償し、さらに、光雑音の影響を最小化するように、フィルタ係数が更新される。そのため、偏光多重光信号から元の送信データを復調することが可能となる。
【００１７】
なお、偏波面が直交する２つの光信号を同一のファイバの中で伝送する偏波多重伝送システムに関する技術が例えば、特許文献１に開示されている。
【００１８】
特許文献１に開示されている技術では、受信装置（光受信機）は、同一波長で偏波面が直交する２つの光信号が占めるスペクトル領域において、近似的に上記のファイバの逆伝送行列になるように、出力信号に基づいて動的に制御された適切な伝送行列に従い、受信信号が含んでいる直交する偏波面を持つ２つの成分をフィルタリングして分離する。これにより、受信装置は、上記のファイバによって導入された偏波モード分散（偏光モード分散）と偏波面の回転とを補償し、上記の２つの光信号に対する歪と相互干渉を取り除き、かつ２つの送信信号に対応する復号化された光信号を出力する。
【先行技術文献】
【特許文献】
【００１９】
【特許文献１】特表２００７−５２８１７５号公報
【発明の概要】
【発明が解決しようとする課題】
【００２０】
上述したＣＭＡによる等化では、受信した光信号の偏光状態によっては、偏光モード分散による受信光信号の波形歪みを補償し、さらに、光雑音の影響を最小化するような値にフィルタ係数が収束しない可能性がある。この場合、受信した光信号から元の送信データを正しく復調できなくなってしまうという問題点がある。
【００２１】
また、ＣＭＡのデジタルフィルタとして用いられるＦＩＲフィルタは、タップ数の増大に対して、多大な回路リソースを必要とする。そのため、消費電力や部品コストの増大を招いてしまうという問題点がある。
【００２２】
本発明は、低消費電力かつ低コストで、受信した偏光多重光信号から元の送信データを正しく復調することができる光受信機、光通信システム及び等化方法を提供することを目的とする。
【課題を解決するための手段】
【００２３】
上記目的を達成するために本発明の光受信機は、搬送波が同一の周波数帯であり、偏光状態が相互に直交する２つの単一偏波光信号を多重することにより生成した偏光多重光信号を受信する偏光ダイバーシティ部と、偏光ダイバーシティ部が出力する互いに直交する偏光軸に並行な信号成分を入力する周波数領域等化部を有し、
周波数領域等化部は、前記偏光多重光信号の伝送特性の劣化を補償するために前記２つの単一偏波光信号のそれぞれに対して設けられた複数のフィルタを備え、
前記複数のフィルタの一方のフィルタ係数は、前記単一偏波光信号の一方のみが送信される第１ステップで、前記偏光多重光信号に含まれる２つの単一偏波光信号の一方の伝送特性の劣化を、周波数領域等化によって補償するように決定され、
前記複数のフィルタの他方のフィルタ係数は、前記単一偏波光信号の他方のみが送信される第２ステップで、前記偏光多重光信号に含まれる２つの単一偏波光信号の他方の伝送特性の劣化を、周波数領域等化によって補償するように決定され、
前記第１ステップおよび第２ステップで決定された前記フィルタ係数が前記複数のフィルタのフィルタ係数に設定された第３ステップで、前記偏波多重光信号を補償する。
【００２４】
また、上記目的を達成するために本発明の光通信システムは、搬送波が同一の周波数帯であり、偏光状態が相互に直交する２つの単一偏波光信号を多重することにより生成した偏光多重光信号を送信する光送信機と、前記光送信機から送信された前記２つの単一偏波光信号および偏光多重光信号を所定の伝送路を介して受信し、前記受信した偏光多重光信号または単一偏波光信号の伝送特性の劣化を補償する光受信機とを有し、
前記光受信機は、前記偏光多重信号または単一偏波光信号を受信する偏光ダイバーシティ部と、偏光ダイバーシティ部が出力する互いに直交する偏光軸に並行な信号成分を入力する周波数領域等化部とを有し、
周波数領域等化部は、前記偏光多重光信号または単一偏波光信号の伝送特性の劣化を補償するために前記２つの単一偏波光信号のそれぞれに対して設けられた複数のフィルタを備え、
前記複数のフィルタの一方のフィルタ係数は、前記単一偏波光信号が送信される第１ステップで、前記偏光多重光信号に含まれる２つの単一偏波光信号の一方のみの伝送特性の劣化を、周波数領域等化によって補償するように決定され、
前記複数のフィルタの他方のフィルタ係数は、前記単一偏波光信号が送信される第２ステップで、前記偏光多重光信号に含まれる２つの単一偏波光信号の他方のみの伝送特性の劣化を、周波数領域等化によって補償するように決定され、
前記第１ステップおよび第２ステップで決定された前記フィルタ係数が前記複数のフィルタのフィルタ係数に設定された第３ステップで、前記偏波多重光信号を補償する。
【００２５】
また、上記目的を達成するために本発明の光通信システムの等化方法は、搬送波が同一の周波数帯であり、偏光状態が相互に直交する２つの単一偏波光信号を多重することにより生成した偏光多重光信号を送信する光送信機と、前記光送信機から送信された前記２つの単一偏波光信号および偏光多重光信号を所定の伝送路を介して受信する光受信機とを有する光通信システムの等価方法であって、
搬送波が同一の周波数帯であり、偏光状態が相互に直交する２つの単一偏波光信号が多重した偏光多重光信号を送信する処理と、
前記偏光多重光信号を所定の伝送路を介して受信する処理と、
前記偏光多重光信号の伝送特性の劣化を補償する処理と、を有し、
前記受信する処理は、受信した前記偏光多重光信号を互いに直交する偏光軸に平行な信号成分に分離する処理を、
前記補償する処理は、前記２つの単一偏波光信号のそれぞれに対して設けられた複数のフィルタを用い前記信号成分をフィルタリング処理を、さらに有し、
前記複数のフィルタの一部のフィルタ係数は、前記単一偏波光信号の一方のみが送信される第１ステップで、前記偏光多重光信号に含まれる２つの単一偏波光信号の一方のみの伝送特性の劣化を、周波数領域等化によって補償するように決定され、
前記複数のフィルタの残りのフィルタ係数は、前記単一偏波光信号の他方のみが送信される第２ステップで、前記偏光多重光信号に含まれる２つの単一偏波光信号の他方のみの伝送特性の劣化を、周波数領域等化によって補償するように決定される。
【発明の効果】
【００２６】
本発明によれば、光受信機は、搬送波が同一の周波数帯であり、偏光状態が相互に直交する２つの光信号のそれぞれが、所定の伝送路を介して送信されてきた場合に、送信されてきた２つの光信号のそれぞれの伝送特性の劣化を周波数領域等化によって補償するためのフィルタ係数が設定されたフィルタを有する。
【００２７】
そして、光受信機は、当該２つの光信号が多重された光信号を当該所定の伝送路を介して受信した場合、フィルタを用い、受信した光信号を当該２つの光信号に対応する光信号に分離しながら、分離された光信号の伝送特性の劣化を周波数領域等化によって補償する。
【００２８】
ここで、上述したフィルタ係数は、当該２つの光信号が多重された光信号を当該所定の伝送路を介して受信した場合に、その受信した光信号の伝送特性の劣化を補償するためのフィルタ係数と同一である。さらに、このフィルタ係数は、周波数領域等化において用いられるフィルタ係数であり、また、複雑な値ではない。そのため、受信した偏光多重光信号の伝送特性の劣化を補償する場合に、多大な回路リソースを必要としない。
【００２９】
従って、低消費電力かつ低コストで、受信した偏光多重光信号から元の送信データを正しく復調することができる。
【図面の簡単な説明】
【００３０】
【図１】本発明の光受信機を適用した光通信システムである偏光多重分離光通信システムの第１の実施形態の構成を示すブロック図である。
【図２】偏光モード分散の一例を表すモデルを示す図である。
【図３】図１に示したフィルタに設定されるフィルタ係数を表す式の一例を示す図である。
【図４】図３に示した式を簡略化した式を示す図である。
【図５】搬送波が同一の周波数帯であり、偏光状態が相互に直交する２つの光信号のそれぞれを送受信する非偏光多重分離光通信システムの構成の一例を示すブロック図である。
【図６】偏光多重分離光通信システムと非偏光多重分離光通信システムとにおける伝送特性を比較するための図である。
【図７】本発明の光受信機を適用した光通信システムである偏光多重分離光通信システムの第２の実施形態の構成を示すブロック図である。
【図８】図７に示した偏光多重分離光通信システムにおいて光受信機が最適フィルタ係数を設定する動作を説明するためのフローチャートである。
【図９】ＣＭＡによる等化を行う偏光多重分離光通信システムの構成の一例を示すブロック図である。
【発明を実施するための形態】
【００３１】
以下に、本発明の実施の形態について図面を参照して説明する。
【００３２】
（第１の実施形態）
本実施形態においてはブロック伝送方式と呼ばれる通信方式を適用する。ブロック伝送方式とは、以下に説明するような通信方式のことである。
【００３３】
ブロック伝送方式では、まず、光送信機は、データを所定の長さのブロックに分割する。そして、各ブロックの一部（以降、サイクリックプレフィックスという）を、そのブロックの端部に付加して得られるデータが送信データとなる。光送信機は、その送信データを光信号に変調して光受信機へ送信する。
【００３４】
また、ブロック伝送方式では、光受信機は、光送信機から送信された光信号を受信し、受信した光信号から、光送信機において各送信データに付加されたサイクリックプレフィックスを除去する。そして、光受信機は、サイクリックプレフィックスが除去された光信号の波形歪等による伝送特性の劣化を、周波数領域等化（ＦＤＥ：Ｆｒｅｑｕｅｎｃｙ  Ｄｏｍａｉｎ  Ｅｑｕａｌｉｚａｔｉｏｎ）によって補償する。
【００３５】
ブロック伝送方式としては、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＳＣ−ＣＰ（Ｓｉｎｇｌｅ  Ｃａｒｒｉｅｒ  Ｂｌｏｃｋ  Ｔｒａｎｓｍｉｓｓｉｏｎ  ｗｉｔｈ−Ｃｙｃｌｅ  Ｐｒｅｆｉｘ）が広く知られている。また、サイクリックプレフィックスを用いないオーバラップＦＤＥという方式も提案されている。
【００３６】
また、ＳＣ−ＣＰによる周波数領域等化では、サイクリックプレフィックスが除去された光信号を、フーリエ変換によって周波数領域上の光信号に変換する。その後、変換された光信号に、伝送路の逆特性となるフィルタ係数を乗算する。さらに、逆フーリエ変換によって時間領域上の光信号に変換した上で、元の送信データを復調する。これは、ブロック伝送方式の根幹を成す技術である。
【００３７】
サイクリックプレフィックスを付加することにより、光伝送路の特性を表す行列が巡回行列として表される。すなわち、フーリエ変換行列と逆フーリエ変換行列とにより、対角化が可能となり、フィルタ係数として対角化行列の固有値の逆数を設定することにより、完全等化が可能となる。これが周波数領域等化の特徴である。
【００３８】
ＯＦＤＭは、逆フーリエ変換を光送信機において行う点以外はＳＣ−ＣＰと同様の技術である。
【００３９】
周波数領域等化において、フーリエ変換及び逆フーリエ変換の演算は、高速フーリエ変換によって行われる。そのため、周波数領域等化は、ＦＩＲフィルタ等を用いる時間領域等化と比べて演算量が小さくなる。従って、周波数領域等化を用いることにより、回路リソースを大幅に削減することができる。
【００４０】
図１は、本発明の光受信機を適用した光通信システムである偏光多重分離光通信システムの第１の実施形態の構成を示すブロック図である。
【００４１】
本実施形態の偏光多重分離光通信システムは図１に示すように、光送信機１０と光受信機３０とを備えている。また、光送信機１０と光受信機３０とは光伝送路２０を介して接続されている。
【００４２】
光送信機１０は、サイクリックプレフィックスが付加された２つの送信データを、搬送波が同一の周波数帯であり、偏光状態が相互に直交する２つの光信号に変調する。そして、光送信機１０は、その２つの光信号を多重した偏光多重光信号を光受信機３０へ送信する。
【００４３】
光受信機３０は、偏光ダイバーシティ部３１と、周波数領域等化部３２と、復調部３７−１，３７−２とを備えている。
【００４４】
偏光ダイバーシティ部３１は、光伝送路２０を介し、光送信機１０から送信された偏光多重光信号を偏光ダイバーシティ受信により、互いに直交する偏光軸に並行な信号成分（以降、ｘ偏光信号、ｙ偏光信号という）に分けて受信する。なお、ここでは、偏光ダイバーシティ受信の詳細については説明を省略する。そして、偏光ダイバーシティ部３１は、ｘ偏光信号及びｙ偏光信号を周波数領域等化部３２へ出力する。
【００４５】
周波数領域等化部３２は、ＣＰ除去部３３−１，３３−２と、フーリエ変換部３４−１，３４−２と、フィルタ３５−１〜３５−４と、逆フーリエ変換部３６−１，３６−２とを備えている。
【００４６】
ＣＰ除去部３３−１は、偏光ダイバーシティ部３１から出力されたｘ偏光信号を受け付け、受け付けたｘ偏光信号からサイクリックプレフィックスを除去する。そして、ＣＰ除去部３３−１は、サイクリックプレフィックスが除去されたｘ偏光信号をフーリエ変換部３４−１へ出力する。
【００４７】
ＣＰ除去部３３−２は、偏光ダイバーシティ部３１から出力されたｙ偏光信号を受け付け、受け付けたｙ偏光信号からサイクリックプレフィックスを除去する。そして、ＣＰ除去部３３−２は、サイクリックプレフィックスが除去されたｙ偏光信号をフーリエ変換部３４−２へ出力する。
【００４８】
フーリエ変換部３４−１は、ＣＰ除去部３３−１から出力され、サイクリックプレフィックスが除去されたｘ偏光信号をフーリエ変換してフィルタ３５−１，３５−２へ出力する。
【００４９】
フーリエ変換部３４−２は、ＣＰ除去部３３−２から出力され、サイクリックプレフィックスが除去されたｙ偏光信号をフーリエ変換してフィルタ３５−３，３５−４へ出力する。
【００５０】
フィルタ３５−１，３５−２は、フーリエ変換部３４−１から出力された光信号に、フィルタ３５−１，３５−２のそれぞれに設定されたフィルタ係数を乗算して出力する。
【００５１】
フィルタ３５−３，３５−４は、フーリエ変換部３４−２から出力された光信号に、フィルタ３５−３，３５−４のそれぞれに設定された所定のフィルタ係数を乗算して出力する。このように、フィルタ係数は、ｘ偏光信号とｙ偏光信号とに対してそれぞれ２個、合計４個設定されている。
【００５２】
逆フーリエ変換部３６−１は、フィルタ３５−１から出力された光信号と、フィルタ３５−３から出力された光信号とを加算して得られる光信号を受け付ける。また、逆フーリエ変換部３６−２は、フィルタ３５−２から出力された光信号と、フィルタ３５−４から出力された光信号とを加算して得られる光信号を受け付ける。なお、逆フーリエ変換部３６−１，３６−２が受け付けた光信号のそれぞれが、光送信機１０において多重された２つの光信号のそれぞれに対応する。そして、逆フーリエ変換部３６−１は、受け付けた光信号を逆フーリエ変換して復調部３７−１へ出力する。また、逆フーリエ変換部３６−２は、受け付けた光信号を逆フーリエ変換して復調部３７−２へ出力する。
【００５３】
復調部３７−１，３７−２は、逆フーリエ変換部３６−１，３６−２から出力された光信号を受け付け、受け付けた光信号から元の送信データを復調する。
【００５４】
なお、上述した偏光多重分離光通信システムのような通信システムの構成は、ＭＩＭＯ（Ｍｕｌｔｉｐｌｅ  Ｉｎｐｕｔ  Ｍｕｌｔｉｐｌｅ  Ｏｕｔｐｕｔ）の構成と呼ばれている。
【００５５】
ここで、周波数領域等化部３２のフィルタ３５−１〜３５−４に設定されるフィルタ係数は、補償の対象となる伝送特性の劣化の原因に応じた値にする必要がある。ここでは、上述した偏光多重分離光通信システムにおける伝送特性の劣化の原因として、光雑音と、偏光モード分散と、搬送波が同一の周波数帯であり、偏光状態が相互に直交する２つの光信号のうち補償対象の光信号とは異なる他方の光信号との３つを考える。受信された光信号の伝送特性の劣化を、周波数領域等化によって補償するためのフィルタ係数は、これらの伝送特性の劣化の原因に基づいて算出することができる。
【００５６】
図２は、偏光モード分散の一例を表すモデルを示す図である。
【００５７】
図２に示すように、光伝送路を構成する光ファイバを複数の断片に分割した上で、各部分では偏光軸をランダムに設定し、その偏光軸に平行な光信号成分と、その偏光軸に垂直な光信号成分とに、正規分布を有するランダムな伝搬遅延時間を付与するモデルを考える。なお、図２の図中の矢印は個々の断片の偏光軸を示している。
【００５８】
光ファイバの個々の断片の特性はＪｏｎｅｓ行列Ｔiで表され、光ファイバ全体の特性は全てのＴiの積で表され、またＴiは、回転行列Ｒin,i及びＲout,iと、偏光間に遅延τiを与える行列Ｍiとの積で表される。従ってＴNは、以下に示す式（ａ）によって表される。
【００５９】
【数１】
0005585115.tif 000002
【００６０】
上記の式（ａ）において、Ｒin,iとＲout,iとＭiとのそれぞれは、以下に示す式（ｂ）〜（ｄ）で表される。
【００６１】
【数２】
0005585115.tif 000003
【００６２】
【数３】
0005585115.tif 000004
【００６３】
【数４】
0005585115.tif 000005
【００６４】
図２に示すモデルにおいて光ファイバ全体の偏光モード分散量は、マクスウェル分布を有しており、実際の測定結果と一致することが知られている。また、光送信機１０において、偏光多重光信号に含まれる２つの光信号は、互いに直交する偏光軸に入力されて多重される。しかし、光受信機３０において、偏光多重光信号は、図２に示した偏光モード分散を表すモデルのように、複雑に混合された状態となって受信される。
【００６５】
上述した条件において、最小二乗誤差基準（ＭＭＳＥ：Ｍｉｎｉｍｕｍ  Ｍｅａｎ  Ｓｑｕａｒｅ  Ｅｖａｌｕａｔｉｏｎ）でフィルタ３５−１〜３５−４に設定されるフィルタ係数を求める。最小二乗誤差基準で求められたフィルタ係数が、伝送特性の劣化を補償するためのフィルタ係数となる。
【００６６】
図３は、図１に示したフィルタ３５−１〜３５−４に設定されるフィルタ係数を表す式の一例を示す図である。
【００６７】
図３に示す式（ｅ１）〜（ｅ４）において、λij(i)（i,j=１または２）は、偏光モード分散を有する光伝送路の特性を表す行列をフーリエ変換行列と逆フーリエ変換行列とによって対角化した際の固有値である。またσs2は信号光パワー、σn2は雑音パワーである。ここでは光雑音は、正規分布を有するものと仮定した。
【００６８】
図３に示す式（ｅ１）〜（ｅ４）をそれぞれ、フィルタ３５−１〜３５−４のそれぞれのフィルタ係数として設定することにより、光伝送路２０を介して受信した偏光多重光信号の伝送特性の劣化を補償することができる。すなわち、光伝送路２０を介して受信した偏光多重光信号の偏光モード分散による波形歪が補償され、また、光雑音の影響が抑制される。さらに、光伝送路２０を介して受信した偏光多重光信号から、他方の光信号の成分が除去される。
【００６９】
しかしながら、フィルタ係数を表す式（ｅ１）〜（ｅ４）は非常に複雑である。そのため、ＬＳＩ等の集積回路に実装する場合に、莫大な回路リソースを要し、消費電力や部品コストの増大を招くという問題点がある。
【００７０】
ここで、図２に示すような偏光モード分散を有する光伝送路２０の特性を表す行列の固有値間が有する特殊な直交関係を利用すると、図３に示す式（ｅ１）〜（ｅ４）を簡略化することができる。
【００７１】
図４は、図３に示した式を簡略化した式を示す図である。
【００７２】
図３に示した式（ｅ１）〜（ｅ４）はそれぞれ、図４に示す式（ｆ１）〜（ｆ４）に簡略化することができる。従って、式（ｅ１）〜（ｅ４）の代わりに、式（ｆ１）〜（ｆ４）をフィルタ３５−１〜３５−４にフィルタ係数として設定することにより、回路リソースを節約することが可能となる。
【００７３】
次に、搬送波が同一の周波数帯であり、偏光状態が相互に直交する２つの光信号のそれぞれ送受信する場合について考えてみる。
【００７４】
図５は、搬送波が同一の周波数帯であり、偏光状態が相互に直交する２つの光信号のそれぞれを送受信する非偏光多重分離光通信システムの構成の一例を示すブロック図である。なお、図５に示す非偏光多重分離光通信システムのような通信システムの構成は一般的に、ＳＩＭＯ（Ｓｉｎｇｌｅ  Ｉｎｐｕｔ  Ｍｕｌｔｉｐｌｅ  Ｏｕｔｐｕｔ）の構成と呼ばれている。
【００７５】
図５に示す非偏光多重分離光通信システムでは、光送信機５０は、搬送波が同一の周波数帯であり、偏光状態が相互に直交する２つの光信号のそれぞれを送信する。光受信機６０は、光送信機５０から送信された光信号を光伝送路２０を介して受信する。そして、光受信機６０は、偏光ダイバーシティ部３１から出力された２つの信号に対し、サイクリックプレフィックスの除去、フーリエ変換及びフィルタリングの処理がなされる。そして、光受信機６０は、これらの処理がなされた２つの信号を加算した後、逆フーリエ変換を実施する。
【００７６】
ここで、図４に示した式（ｆ１）は、図５に示したような非偏光多重分離光通信システムにおいて、最小二乗誤差基準でフィルタ３５−１に設定されるフィルタ係数と同一となっている。同様に、図４に示した式（ｆ３）は、図５に示したような非偏光多重分離光通信システムにおいて、最小二乗誤差基準でフィルタ３５−３に設定されるフィルタ係数と同一となっている。
【００７７】
次に、偏光多重分離光通信システム（ＭＩＭＯの構成）と、非偏光多重分離光通信システム（ＳＩＭＯの構成）との伝送特性について見てみる。
【００７８】
図６は、偏光多重分離光通信システムと非偏光多重分離光通信システムとにおける伝送特性を比較するための図である。なお、図６は一例として、ＳＣ−ＣＰによる周波数領域等化の場合を示している。また、図６においては、縦軸がビットエラーレート（ＢＥＲ：Ｂｉｔ  Ｅｒｒｏｒ  Ｒａｔｅ）であり、横軸が１ビットあたりの信号電力と雑音密度との比（Ｅb／Ｎ0：ｅｎｅｒｇｙ  ｐｅｒ  ｂｉｔ  ｔｏ  ｎｏｉｓｅ  ｐｏｗｅｒ  ｓｐｅｃｔｒａｌ  ｄｅｎｓｉｔｙ  ｒａｔｉｏ）である。また、図中、「＋」印及び「×」印でプロットされたのが偏光多重分離光通信システム（ＭＩＭＯの構成）を示しており、「＊」印及び四角形でプロットされたのが非偏光多重分離光通信システム（ＳＩＭＯの構成）を示している。
【００７９】
図６に示すように、偏光多重分離光通信システム（ＭＩＭＯの構成）と、非偏光多重分離光通信システム（ＳＩＭＯの構成）との伝送特性は、ほぼ一致している。
【００８０】
以上により、偏光多重分離光通信システムにおいて伝送特性の劣化を補償するためのフィルタ係数として、非偏光多重分離光通信システムにおいて伝送特性の劣化を補償するためのフィルタ係数をそのまま適用することにより、偏光多重分離光通信システムの伝送特性の劣化を補償することが可能であることが分かる。
【００８１】
このように本実施形態おいては、光受信機３０は、搬送波が同一の周波数帯であり、偏光状態が相互に直交する２つの光信号のそれぞれが、光伝送路２０を介して送信されてきた場合に、送信されてきた２つの光信号のそれぞれの伝送特性の劣化を周波数領域等化によって補償するためのフィルタ係数が設定されたフィルタ３５−１〜３５−４を有する。
【００８２】
そして、光受信機３０は、当該２つの光信号が多重された光信号を光伝送路２０を介して受信した場合、フィルタ３５−１〜３５−４を用い、受信した光信号を当該２つの光信号に対応する光信号に分離しながら、分離された光信号の伝送特性の劣化を周波数領域等化によって補償する。
【００８３】
ここで、フィルタ３５−１〜３５−４に設定されたフィルタ係数は、当該２つの光信号が多重された光信号を光伝送路２０を介して受信した場合に、その受信した光信号の伝送特性の劣化を補償するためのフィルタ係数と同一である。さらに、フィルタ３５−１〜３５−４に設定されたフィルタ係数は、周波数領域等化において用いられるフィルタ係数であり、また、複雑な値ではない。そのため、受信した偏光多重光信号の伝送特性の劣化を補償する場合に、多大な回路リソースを必要としない。
【００８４】
従って、低消費電力かつ低コストで、受信した偏光多重光信号から元の送信データを正しく復調することができる。
【００８５】
なお、本実施形態においてはＳＣ−ＣＰを適用した場合の周波数領域等化を一例として説明したが、ＯＦＤＭやオーバラップＦＤＥ等を適用した場合の周波数領域等化でも同様である。
【００８６】
（第２の実施形態）
上述した第１の実施形態では、偏光多重分離光通信システムにおけるフィルタ係数として、非偏光多重分離光通信システムにおけるフィルタ係数を設定しておく場合を想定していた。
【００８７】
本実施形態では、搬送波が同一の周波数帯であり、偏光状態が相互に直交する２つの光信号のそれぞれを光受信機が受信することにより、偏光多重分離光通信システムにおけるフィルタ係数を設定する場合について説明する。
【００８８】
図７は、本発明の光受信機を適用した光通信システムである偏光多重分離光通信システムの第２の実施形態の構成を示すブロック図である。
【００８９】
本実施形態の偏光多重分離光通信システムは図７に示すように、光送信機７０と光受信機８０とを備えている。また、光送信機７０と光受信機８０とは光伝送路２０を介して接続されている。
【００９０】
光送信機７０は、図１に示した光送信機１０と同様の構成及び機能を有する。それに加えて、光送信機７０は、搬送波が同一の周波数帯であり、偏光状態が相互に直交する２つの光信号のそれぞれを光受信機８０へ送信する。
【００９１】
光受信機８０は、図１に示した光受信機３０と比較すると、フィルタ係数算出部８８と誤差算出部８９とを備えている点が異なる。光受信機８０の他の構成及び機能は、図１に示した光受信機３０と同様であるため、ここでは説明を省略する。
【００９２】
誤差算出部８９は、搬送波が同一の周波数帯であり、偏光状態が相互に直交する２つの光信号のそれぞれを予め記憶している。また、誤差算出部８９は、逆フーリエ変換部３６−１及び３６−２から出力された光信号と、記憶された光信号との誤差を算出する。そして、誤差算出部８９は、算出した誤差を示す誤差情報をフィルタ係数算出部８８へ出力する。
【００９３】
フィルタ係数算出部８８は、誤差算出部８９から出力された誤差情報を受け付ける。そして、フィルタ係数算出部８８は、受け付けた誤差情報が示す誤差に基づき、フィルタ３５−１〜３５−４のフィルタ係数を所定のアルゴリズムに従って算出することを繰り返す。これにより、フィルタ３５−１〜３５−４のフィルタ係数が更新されていく。なお、フィルタ係数を算出するアルゴリズムとしては例えば、適応フィルタに一般的に用いられるＬＭＳ（Ｌｅａｓｔ  Ｍｅａｎ  Ｓｑｕａｒｅ）等を用いる。そして、フィルタ係数算出部８８は、フィルタ係数の更新幅が十分に小さくなった時点のフィルタ係数を最適フィルタ係数としてフィルタ３５−１〜３５−４に設定する。
【００９４】
以下に、上記のように構成された偏光多重分離光通信システムにおいて光受信機８０が最適フィルタ係数を設定する動作について説明する。なお、ここでは、搬送波が同一の周波数帯であり、偏光状態が相互に直交する２つの光信号のそれぞれを光信号Ａ，Ｂとする。誤差算出部８９は、光信号Ａ，Ｂを記憶しているものとする。
【００９５】
図８は、図７に示した偏光多重分離光通信システムにおいて光受信機８０が最適フィルタ係数を設定する動作を説明するためのフローチャートである。
【００９６】
まず、光送信機７０は、光受信機８０へ光信号Ａを送信する（ステップＳ１）。
【００９７】
光受信機８０の偏光ダイバーシティ部３１は、光伝送路２０を介し、光送信機７０から送信された光信号Ａを偏光ダイバーシティ受信により、ｘ偏光信号とｙ偏光信号とに分けて受信する（ステップＳ２）。
【００９８】
そして、偏光ダイバーシティ部３１は、ｘ偏光信号及びｙ偏光信号を周波数領域等化部８２へ出力する。
【００９９】
次に、ｘ偏光信号及びｙ偏光信号は、ＣＰ除去部３３−１，３３−２にてサイクリックプレフィックスが除去され、フーリエ変換部３４−１，３４−２にてフーリエ変換される。さらに、ｘ偏光信号及びｙ偏光信号は、フィルタ３５−１〜３５−４にてフィルタ係数が乗算されて逆フーリエ変換部３６−１，３６−２へ出力される。
【０１００】
そして、逆フーリエ変換部３６−１，３６−２は、フィルタ３５−１〜３５−４から出力された光信号を受け付け、受け付けた光信号を逆フーリエ変換して出力する。
【０１０１】
次に、誤差算出部８９は、逆フーリエ変換部３６−１及び３６−２から出力された光信号を受け付け、受け付けた光信号と記憶された光信号Ａとの誤差を算出する（ステップＳ３）。
【０１０２】
そして、誤差算出部８９は、算出した誤差を示す誤差情報をフィルタ係数算出部８８へ出力する。
【０１０３】
誤差算出部８９から出力された誤差情報を受け付けたフィルタ係数算出部８８は、フィルタ３５−２，３５−４のフィルタ係数を０に固定し、受け付けた誤差情報が示す誤差に基づき、フィルタ３５−１，３５−３のフィルタ係数の算出を繰り返す（ステップＳ４）。これにより、フィルタ３５−１，３５−３のフィルタ係数が更新されていく。
【０１０４】
そして、フィルタ係数算出部８８は、フィルタ係数の更新幅が十分に小さくなった時点のフィルタ３５−１，３５−３のフィルタ係数を最適フィルタ係数としてフィルタ３５−１，３５−３に設定する（ステップＳ５）。
【０１０５】
次に、光送信機７０は、光信号Ａの送信を停止する。そして、光送信機７０は、光受信機８０へ光信号Ｂを送信する（ステップＳ６）。
【０１０６】
光受信機８０の偏光ダイバーシティ部３１は、光伝送路２０を介し、光送信機７０から送信された光信号Ｂを偏光ダイバーシティ受信により、ｘ偏光信号とｙ偏光信号とに分けて受信する（ステップＳ７）。
【０１０７】
そして、偏光ダイバーシティ部３１は、ｘ偏光信号及びｙ偏光信号を周波数領域等化部８２へ出力する。
【０１０８】
次に、ｘ偏光信号及びｙ偏光信号は、ＣＰ除去部３３−１，３３−２にてサイクリックプレフィックスが除去され、フーリエ変換部３４−１，３４−２にてフーリエ変換される。さらに、ｘ偏光信号及びｙ偏光信号は、フィルタ３５−１〜３５−４にてフィルタ係数が乗算されて逆フーリエ変換部３６−１，３６−２へ出力される。
【０１０９】
そして、逆フーリエ変換部３６−１，３６−２は、フィルタ３５−１〜３５−４から出力された光信号を受け付け、受け付けた光信号を逆フーリエ変換して出力する。
【０１１０】
次に、誤差算出部８９は、逆フーリエ変換部３６−１及び３６−２から出力された光信号を受け付け、受け付けた光信号と記憶された光信号Ｂとの誤差を算出する（ステップＳ８）。
【０１１１】
そして、誤差算出部８９は、算出した誤差を示す誤差情報をフィルタ係数算出部８８へ出力する。
【０１１２】
誤差算出部８９から出力された誤差情報を受け付けたフィルタ係数算出部８８は、フィルタ３５−１，３５−３のフィルタ係数は０に固定し、受け付けた誤差情報が示す誤差に基づき、フィルタ３５−２，３５−４のフィルタ係数の算出を繰り返す（ステップＳ９）。これにより、フィルタ３５−２，３５−４のフィルタ係数が更新されていく。
【０１１３】
そして、フィルタ係数算出部８８は、フィルタ係数の更新幅が十分に小さくなった時点のフィルタ３５−２，３５−４のフィルタ係数を最適フィルタ係数としてフィルタ３５−２，３５−４に設定する（ステップＳ１０）。
【０１１４】
次に、光送信機７０は、光信号Ｂの送信を停止し、光信号Ａと光信号Ｂとを多重した偏光多重光信号の送信を開始する（ステップＳ１１）。
【０１１５】
光受信機８０の偏光ダイバーシティ部３１は、光伝送路２０を介して光送信機７０から送信された偏光多重光信号を偏光ダイバーシティ受信により、ｘ偏光信号とｙ偏光信号とに分けて受信する（ステップＳ１２）。
【０１１６】
ここで、上述した動作によって算出されたフィルタ３５−１〜３５−４の最適フィルタ係数は、ＳＩＭＯ構成において伝送特性の劣化を補償するためのフィルタ係数であるが、上述したようにＳＩＭＯ構成において伝送特性の劣化を補償するためのフィルタ係数を用いれば、ＭＩＭＯ構成においても伝送特性の劣化を補償することができる。
【０１１７】
そのため、光信号Ａと光信号Ｂとを多重した偏光多重光信号が光送信機７０から送信されてきた場合でも、上述した動作によって算出された最適フィルタ係数をそのまま用いることができる。
【０１１８】
そして、光受信機８０は、最適フィルタ係数が設定されたフィルタ３５−１〜３５−４を用いた周波数領域等化により、受信した偏光多重光信号の伝送特性の劣化を補償する（ステップＳ１３）。
【０１１９】
なお、光伝送路２０の特性が時間的に変動するような場合には、光送信機７０が、偏光多重信号の送信を開始した後も、光信号Ａ及び光信号Ｂを所定の時間間隔で送信するようにする。そして、光受信機８０のフィルタ係数算出部８８が、光信号Ａ及び光信号Ｂが受信される度に、最適フィルタ係数を算出し直すようにすればよい。これにより、光伝送路２０の特性の時間的な変動に応じたフィルタ係数を用いることが可能となる。
【０１２０】
このように本実施形態において光受信機８０は、搬送波が同一の周波数帯であり、偏光状態が相互に直交する２つの光信号が光送信機７０から光伝送路２０を介して送信されてきた場合に、送信されてきた２つの光信号のそれぞれの伝送特性の劣化を周波数領域等化によって補償するためのフィルタ係数が設定されたフィルタ３５−１〜３５−４を用い、受信した偏光多重光信号を当該２つの光信号に対応する光信号に分離しながら、分離された光信号の伝送特性の劣化を周波数領域等化によって補償する。
【０１２１】
ここで、フィルタ３５−１〜３５−４に設定されたフィルタ係数は、当該２つの光信号が多重された光信号を光伝送路２０を介して受信した場合に、その受信した光信号の伝送特性の劣化を補償するためのフィルタ係数と同一である。さらに、フィルタ３５−１〜３５−４に設定されたフィルタ係数は、周波数領域等化において用いられるフィルタ係数であり、また、複雑な値ではない。そのため、受信した偏光多重光信号の伝送特性の劣化を補償する場合に、多大な回路リソースを必要としない。
【０１２２】
従って、低消費電力かつ低コストで、受信した偏光多重光信号から元の送信データを正しく復調することができる。
【０１２３】
上述した第１及び第２の実施形態においては、１つの搬送波周波数を用いた偏光多重分離光通信システムを一例として説明した。但し、相互に異なる搬送波周波数を有する複数の光信号を波長分割多重（ＷＤＭ：Ｗａｖｅｌｅｎｇｈｔ  Ｄｉｖｉｓｉｏｎ  Ｍｕｌｔｉｐｌｅｘｉｎｇ）する光通信システムにおいても、搬送波毎に本発明を適用することにより、上述したのと同様の効果を得ることができる。
【符号の説明】
【０１２４】
１０，５０，７０    光送信機
２０    光伝送路
３０，６０，８０    光受信機
３１    偏光ダイバーシティ部
３２，６２，８２    周波数領域等化部
３３−１，３３−２    ＣＰ除去部
３４−１，３４−２    フーリエ変換部
３５−１〜３５−４    フィルタ
３６−１，３６−２    逆フーリエ変換部
３７−１，３７−２    復調部
８８    フィルタ係数算出部
８９    誤差算出部
【図１】
0005585115.tif 000006
【図２】
0005585115.tif 000007
【図３】
0005585115.tif 000008
【図４】
0005585115.tif 000009
【図５】
0005585115.tif 000010
【図６】
0005585115.tif 000011
【図７】
0005585115.tif 000012
【図８】
0005585115.tif 000013
【図９】
0005585115.tif 000014